(57)【要約】【課題】簡単に色彩を変更したり、個々に又は全体に絵画、広告等を簡単に表示し得て、要求に対して臨機応変に対処し得るブラインド装置用羽根及びそれを具備したブラインド装置を提供すること。【解決手段】ブラインド装置用羽根１は、アルミの押し出し成型品からなる長尺の羽根本体２と、羽根本体２の１．０ｍｍ程度の肉厚ｔよりも薄い０．２ｍｍから０．３ｍｍ程度の肉厚を有すると共に羽根本体２の両長手縁部３及び４の夫々に長手縁部５及び６で取り外し自在に嵌装された弾性的可撓性の長尺の薄肉板７とを具備している。【選択図】図１
2014237965.tif 000002
【特許請求の範囲】
【請求項１】
長尺の羽根本体と、この羽根本体の肉厚よりも薄い肉厚を有すると共に羽根本体の両長手縁部の夫々に長手縁部で取り外し自在に嵌装された弾性的可撓性の長尺の薄肉板とを具備しており、この薄肉板は、羽根本体の表面及び裏面のうちの少なくとも一方において当該羽根本体に重ね合わされているブラインド装置用羽根。
【請求項２】
羽根本体は、アルミ若しくは樹脂の押し出し成型品又はアルミ、樹脂若しくはスチールの薄板のフォーミング成型品からなる請求項１に記載のブラインド装置用羽根。
【請求項３】
羽根本体は、大径の円弧凸表面を有する長尺の大径の円弧部と、この大径の円弧部の大径の円弧凸表面の曲率半径よりも小さい曲率半径をもった小径の円弧凸表面を有すると共に小径の円弧凸表面が大径の円弧凸表面から連続して伸びるように大径の円弧部の両長手縁部の夫々に一体的に形成された小径の円弧部とを具備しており、薄肉板は、羽根本体の大径の円弧部に重ね合わされている長尺の大径の円弧薄肉部と、羽根本体の小径の円弧部の少なくとも一部を包み込んで当該小径の円弧部に重ね合わされるようにして小径の円弧部の夫々に取り外し自在に嵌装されていると共に大径の円弧薄肉部の両長手縁部の夫々に一体的に形成された小径の円弧薄肉部とを具備しており、大径の円弧薄肉部は、大径の円弧部の大径の円弧凸表面に相似形であって当該大径の円弧凸表面に接触する大径の円弧凹裏面を有しており、小径の円弧薄肉部は、小径の円弧部の小径の円弧凸表面に相似形であって当該小径の円弧凸表面に接触すると共に大径の円弧凹裏面から連続して伸びる小径の円弧凹裏面を有している請求項１又は２に記載のブラインド装置用羽根。
【請求項４】
羽根本体は、大径の円弧部と協働して円弧状の空洞を形成するように大径の円弧部に対峙した内側の大径の円弧部を更に具備しており、大径の円弧部は、その一方の長手縁部で一方の小径の円弧部の一端に、その他方の長手縁部で他方の小径の円弧部の一端に夫々一体的に形成されており、内側の大径の円弧部は、その一方の長手縁部で一方の小径の円弧部の他端に、その他方の長手縁部で他方の小径の円弧部の他端に夫々一体的に形成されている請求項３に記載のブラインド装置用羽根。
【請求項５】
羽根本体は、円弧凸表面を有する長尺の外側の円弧部と、この外側の円弧部の円弧凸表面から連続して伸びる表面を有すると共にスリットを有して外側の円弧部の両長手縁部の夫々に一体的に形成された係止縁部と、円弧凹表面をもって、一端では一方の係止縁部に、他端では他方の係止縁部に夫々一体的に形成されていると共に外側の円弧部と協働して円弧状の空洞を形成するように外側の円弧部に対峙した内側の円弧部とを具備しており、薄肉板は、係止縁部の夫々のスリットに嵌装された一対の長手縁部と、一対の長手縁部に一体的に形成されていると共に内側の円弧部の円弧凹表面に相似形であって当該円弧凹表面に接触する円弧凸裏面を有している円弧薄肉部とを具備している請求項１又は２に記載のブラインド装置用羽根。
【請求項６】
羽根本体は、円弧凸表面及び円弧凹裏面を有する長尺の円弧部と、この円弧部の両長手縁部の夫々に一体的に形成された半円筒部とを具備しており、薄肉板は、各半円筒部の開口から当該半円筒部内に挿入された一対の長手縁部と、一対の長手縁部に一体的に形成されていると共に円弧部の円弧凹裏面に相似形であって当該円弧凹裏面に接触する円弧凸裏面を有している円弧薄肉部とを具備している請求項１又は２に記載のブラインド装置用羽根。
【請求項７】
請求項１から６のいずれか一項に記載のブラインド装置用羽根を具備したブラインド装置。
【発明の詳細な説明】
【技術分野】
【０００１】
本発明は、建物の窓に配されて室内を目隠しすると共に遮光するブラインド装置に用いられる羽根、即ち、ブラインド装置用羽根及びそれを具備したブラインド装置に関する。
【背景技術】
【０００２】
建物の窓に上下方向に複数の羽根（スラット又はルーバー）を配列して羽根の昇降及び傾動でもって室内を目隠しすると共に自然光又は人工光を遮光するブラインド装置は知られており、例えば特許文献１においては、羽根の昇降のための昇降装置と、羽根の傾動のための傾動手段（チルト機構）とが設けられたブラインド装置が提案されている。
【先行技術文献】
【特許文献】
【０００３】
【特許文献１】特開２００４−１５６２８９号公報
【特許文献２】特開２００４−３００８５８号公報
【特許文献３】特開２０１１−１６２９４１号公報
【発明の概要】
【発明が解決しようとする課題】
【０００４】
ところで、斯かるブラインド装置において、室内を目隠しすると共に自然光又は人工光を遮光するその羽根は、アルミ等の素材自体の色彩をもって製造されたり、設置する室に調和する色彩をもって着色又は塗装されて製造されたりするが、斯かる羽根に対して、その色彩を変更したり、個々に又は全体に絵画、広告等を表示したい場合には、羽根を取り換えたり、羽根自体に印刷又は焼付塗装を行ったりする必要がある結果、臨機応変な対応が困難である上に、費用の増大が避け難い。
【０００５】
本発明は、前記諸点に鑑みてなされたものであって、その目的とするところは、簡単に色彩を変更したり、個々に又は全体に絵画、広告等を簡単に表示し得て、要求に対して臨機応変に対処し得るブラインド装置用羽根及びそれを具備したブラインド装置を提供することにある。
【課題を解決するための手段】
【０００６】
本発明のブラインド装置用羽根は、長尺の羽根本体と、この羽根本体の肉厚よりも薄い肉厚を有すると共に羽根本体の両長手縁部の夫々に長手縁部で取り外し自在に嵌装された弾性的可撓性の長尺の薄肉板とを具備しており、この薄肉板は、羽根本体の表面及び裏面のうちの少なくとも一方において当該羽根本体に重ね合わされている。
【０００７】
本発明のブラインド装置用羽根によれば、長尺の羽根本体の両長手縁部の夫々に、弾性的可撓性の長尺の薄肉板がその長手縁部で取り外し自在に嵌装されているために、設置する室に羽根本体自体が意匠的に調和した色彩をもっていない場合であって、薄肉板が羽根本体の裏面において当該羽根本体に重ね合わされている場合には、嵌装された薄肉板でもって設置する室に意匠的に調和した色彩にでき、また、絵画、広告等が表示された薄肉板を用いることにより、室内外に対して部分的に又は全体に絵画、広告等を簡単に表示し得て、種々の要求に対して臨機応変に対処し得るブラインド装置用羽根を提供することができる。
【０００８】
本発明において、羽根本体は、形状保持性を有している金属製、合成樹脂製又は木製等のいずれであってもよいが、好ましくは、アルミ若しくは樹脂の押し出し成型品又はアルミ、ポリカーボネイト、塩化ビニール等の樹脂若しくはスチールの薄板のフォーミング成型品からなり、より好ましくは、肉厚１．０ｍｍ程度のアルミの押し出し成型品からなり、薄肉板は、弾性的可撓性と適度の形状保持性とを有している金属製、合成樹脂製又は木製金属製等のフォーミング成型品又は樹脂板のいずれであってもよいが、彩色化、印刷簡易化、軽量化の観点から、好ましくは、肉厚０．２ｍｍから０．３ｍｍ程度の合成樹脂製のものであるが、耐久性、特に、羽根本体の表面において薄肉板を当該羽根本体に重ね合わされる場合には、対候性及び耐紫外線性の観点からは、金属製又は対候性及び耐紫外線性の合成樹脂製であってもよく、また、薄肉板は、好ましくは、羽根本体の長手方向の全体を覆うような長手方向長をもって羽根本体に重ね合わされているが、これに代えて、長手方向において羽根本体を部分的に覆うような長手方向長をもって羽根本体に重ね合わされていてもよい。
【０００９】
本発明の好ましい一つの例では、羽根本体は、大径の円弧凸表面を有する長尺の大径の円弧部と、この大径の円弧部の大径の円弧凸表面の曲率半径よりも小さい曲率半径をもった小径の円弧凸表面を有すると共に小径の円弧凸表面が大径の円弧凸表面から連続して伸びるように大径の円弧部の両長手縁部の夫々に一体的に形成された小径の円弧部とを具備しており、薄肉板は、羽根本体の大径の円弧部に重ね合わされている長尺の大径の円弧薄肉部と、羽根本体の小径の円弧部の少なくとも一部を包み込んで当該小径の円弧部に重ね合わされるようにして小径の円弧部の夫々に取り外し自在に嵌装されていると共に大径の円弧薄肉部の両長手縁部の夫々に一体的に形成された小径の円弧薄肉部とを具備しており、大径の円弧薄肉部は、大径の円弧部の大径の円弧凸表面に相似形であって当該大径の円弧凸表面に接触する大径の円弧凹裏面を有しており、小径の円弧薄肉部は、小径の円弧部の小径の円弧凸表面に相似形であって当該小径の円弧凸表面に接触すると共に大径の円弧凹裏面から連続して伸びる小径の円弧凹裏面を有している。
【００１０】
本例のブラインド装置用羽根によれば、大径の円弧凸表面を覆って大径の円弧部に大径の円弧薄肉部が重ね合わされているために、例えば、室外から目視し得る絵画、広告等を簡単に表示し得、しかも、羽根本体に対しての薄肉板の脱着、嵌合による交換で、斯かる絵画、広告等を時期に合わせて適宜変更できる。
【００１１】
本例において、薄肉板の小径の円弧薄肉部は、小径の円弧部の夫々に取り外し自在に嵌装されるように、羽根本体の小径の円弧部の全部又は一部を包み込んでいればよく、また、羽根本体は、大径の円弧部と協働して円弧状の空洞を形成するように大径の円弧部に対峙した内側の大径の円弧部を更に具備していてもよく、この場合、大径の円弧部は、その一方の長手縁部で一方の小径の円弧部の一端に、その他方の長手縁部で他方の小径の円弧部の一端に夫々一体的に形成されており、内側の大径の円弧部は、その一方の長手縁部で一方の小径の円弧部の他端に、その他方の長手縁部で他方の小径の円弧部の他端に夫々一体的に形成されていてもよく、斯かる例のブラインド装置用羽根によれば、羽根本体が大径の円弧部と内側の大径の円弧部とを具備する結果、軽量化を図り得る上に、羽根本体の強度を増大でき、軽量化のために大径の円弧部及び内側の大径の円弧部の夫々を薄肉にしても風等により撓むことなしにしっかりと羽根本体の形状を保持できる。加えて、本例の羽根本体は、大径の円弧部と内側の大径の円弧部とを橋絡するように大径の円弧部と内側の大径の円弧部とに一体的に形成された補強リブを更に具備していてもよく、このような補強リブにより、羽根本体の強度を更に増大でき、風等により撓むことなしに更にしっかりと羽根本体の形状を保持できるようになる。
【００１２】
本発明のブラインド装置用羽根の好ましい他の例では、羽根本体は、円弧凸表面を有する長尺の外側の円弧部と、この外側の円弧部の円弧凸表面から連続して伸びる表面を有すると共にスリットを有して外側の円弧部の両長手縁部の夫々に一体的に形成された係止縁部と、円弧凹表面をもって、一端では一方の係止縁部に、他端では他方の係止縁部に夫々一体的に形成されていると共に外側の円弧部と協働して円弧状の空洞を形成するように外側の円弧部に対峙した内側の円弧部とを具備しており、薄肉板は、係止縁部の夫々のスリットに嵌装された一対の長手縁部と、一対の長手縁部に一体的に形成されていると共に内側の円弧部の円弧凹表面に相似形であって当該円弧凹表面に接触する円弧凸裏面を有している円弧薄肉部とを具備している。
【００１３】
斯かる他の例のブラインド装置用羽根によれば、内側の円弧部の円弧凹表面を覆って当該内側の円弧部に円弧薄肉部が重ね合わされているために、例えば、適宜な色彩をもった薄肉板によりブラインド装置用羽根を室壁の色彩等の室内の意匠に対応させることができ、しかも、羽根本体に対しての薄肉板の交換で、室の意匠に合わせてブラインド装置用羽根の色彩を変更でき、しかも、外側の円弧部と内側の円弧部とを具備しているために、前記と同様に、羽根本体の強度を増大でき、軽量化のために外側の円弧部及び内側の円弧部の夫々を薄肉にしても風等により撓むことなしにしっかりと羽根本体の形状を保持できる。
【００１４】
また、本発明のブラインド装置用羽根の好ましい更に他の例では、羽根本体は、円弧凸表面及び円弧凹裏面を有する長尺の円弧部と、この円弧部の両長手縁部の夫々に一体的に形成された半円筒部とを具備していてもよく、この場合、薄肉板は、各半円筒部の開口から当該半円筒部内に挿入された一対の長手縁部と、一対の長手縁部に一体的に形成されていると共に円弧部の円弧凹裏面に相似形であって当該円弧凹裏面に接触する円弧凸裏面を有している円弧薄肉部とを具備しているとよい。
【００１５】
斯かる例のブラインド装置用羽根によれば、円弧部の円弧凹裏面を覆って当該円弧部に円弧薄肉部が重ね合わされているために、上記と同様に、例えば、適宜な色彩をもった薄肉板によりブラインド装置用羽根を室壁の色彩等の室内の意匠に対応させることができ、しかも、羽根本体に対しての薄肉板の交換で、室の意匠に合わせてブラインド装置用羽根の色彩を変更でき、しかも、軽量化を図り得る。
【発明の効果】
【００１６】
本発明によれば、簡単に色彩を変更したり、個々に又は全体に絵画、広告等を簡単に表示し得て、要求に対して臨機応変に対処し得るブラインド装置用羽根及びそれを具備したブラインド装置を提供し得る。
【図面の簡単な説明】
【００１７】
【図１】図１は、本発明の実施の形態の好ましい例の斜視説明図である。
【図２】図２は、図１に示す例の側面説明図である。
【図３】図３は、図１に示す例の分解側面説明図である。
【図４】図４は、図１に示す例を用いたブラインド装置の例の斜視説明図である。
【図５】図５は、図４に示す例の動作説明図である。
【図６】図６は、本発明の実施の形態の好ましい他の例の斜視説明図である。
【図７】図７は、図６に示す例の側面説明図である。
【図８】図８は、図６に示す例の分解側面説明図である。
【図９】図９は、本発明の実施の形態の好ましい更に他の例の斜視説明図である。
【図１０】図１０は、図９に示す例の側面説明図である。
【図１１】図１１は、図９に示す例の分解側面説明図である。
【図１２】図１２は、本発明の実施の形態の好ましい更に他の例の側面説明図である。
【発明を実施するための形態】
【００１８】
次に本発明の実施の形態を、図に示す好ましい例に基づいて更に詳細に説明する。なお、本発明はこれら例に何等限定されないのである。
【００１９】
図１から図３において、本例のブラインド装置用羽根１は、アルミの押し出し成型品からなる長尺の羽根本体２と、羽根本体２の１．０ｍｍ程度の肉厚ｔよりも薄い０．２ｍｍから０．３ｍｍ程度の肉厚を有すると共に羽根本体２の両長手縁部３及び４の夫々に長手縁部５及び６で取り外し自在に嵌装された弾性的可撓性の長尺の薄肉板７とを具備している。
【００２０】
羽根本体２は、大径の円弧凸表面１１を有する肉厚１．０ｍｍ程度の長尺の外側の大径の円弧部１２と、円弧部１２の円弧凸表面１１の曲率半径よりも小さい曲率半径をもった小径の円弧凸表面１３及び１４を有すると共に円弧凸表面１３及び１４の夫々が円弧凸表面１１から面一となって連続して伸びるように円弧部１２の両長手縁部１５及び１６の夫々に一体的に形成されて羽根本体２の両長手縁部３及び４となる小径の円弧部１７及び１８と、円弧部１２と協働して円弧状の空洞１９を形成するように円弧部１２に対峙した肉厚１．０ｍｍ程度の円弧部２０と、円弧部１２及び２０を橋絡して空洞１９を分割するように円弧部１２及び２０に一体的に形成された補強リブ２１とを具備している。
【００２１】
円弧部１２は、その一方の長手縁部１５で一方の円弧部１７の一端２５に、その他方の長手縁部１６で他方の円弧部１８の一端２６に夫々一体的に形成されており、円弧部２０は、その一方の長手縁部２７で一方の円弧部１７の他端２８に、その他方の長手縁部２９で他方の円弧部１８の他端３０に夫々一体的に形成されている。
【００２２】
羽根本体２の表面及び裏面のうちの少なくとも一方、本例では羽根本体２の表面である円弧凸表面１１並びに円弧凸表面１３及び１４において当該羽根本体２の円弧部１２並びに円弧部１７及び１８に重ね合わされている合成樹脂製の薄肉板７は、羽根本体２の円弧部１２に重ね合わされている長尺の大径の円弧薄肉部３５と、羽根本体２の円弧部１７及び１８の一部の夫々を包み込んで当該円弧部１７及び１８の夫々に重ね合わされるようにして円弧部１７及び１８の夫々に取り外し自在に嵌装されていると共に円弧薄肉部３５の両長手縁部３６及び３７の夫々に一体的に形成された小径の円弧薄肉部３８及び３９とを具備している。
【００２３】
円弧薄肉部３５は、円弧部１２の円弧凸表面１１に相似形の大径の円弧凸表面４４と、同じく円弧部１２の円弧凸表面１１に相似形であって当該円弧凸表面１１に接触する大径の円弧凹裏面４５とを有しており、円弧薄肉部３８及び３９の夫々は、円弧部１７及び１８の夫々の円弧凸表面１３及び１４に相似形であって当該円弧凸表面１３及び１４の夫々に接触すると共に円弧凹裏面４５から面一に連続して伸びる小径の円弧凹裏面４６及び４７を有している。
【００２４】
図４及び図５に示すように、ブラインド装置５０は、上枠５１び下枠５２並びに縦枠５３及び５４からなる枠体５５と、上枠５１及び下枠５２並びに縦枠５３及び５４に囲まれた空間５６に配されていると共に縦枠５３及び５４に対して傾動及び昇降自在である複数枚の長尺の上述のブラインド装置用羽根１と、空間５６において縦枠５３及び５４に対してブラインド装置用羽根１を昇降、傾動させると共に上枠５１から垂れ下がった玉チェーン５７の手動操作による走行で作動される昇降、傾動機構（図示せず）と、ブラインド装置用羽根１の夫々の長手方向の一端部５８及び他端部５９を昇降、傾動機構に連結する連結機構（図示せず）とを具備しており、ブラインド装置５０の昇降、傾動機構は、玉チェーン５７の手動操作による走行で、該連結機構を介してブラインド装置用羽根１を縦枠５３及び５４に対して縦枠５３及び５４に設けられたスリット６０に案内させて昇降させて、ブラインド装置用羽根１により空間５６を完全閉鎖させ（図４参照）又は完全開口させるようになっており、そして、ブラインド装置用羽根１を縦枠５３及び５４に対して傾動させる（図５参照）させるようになっており、斯かる昇降、傾動機構及び連結機構は、公知であるので、その詳細な説明を省く。
【００２５】
ブラインド装置用羽根１では、羽根本体２に薄肉板７を横から長手方向Ａに沿って差し込んで羽根本体２に薄肉板７を嵌装してもよいが、図３に示すように、薄肉板７の弾性的可撓性を利用して、円弧薄肉部３５を方向Ｂで示すように羽根本体２の円弧凸表面１１に向って押し付けると共に円弧薄肉部３８及び３９の近傍を方向Ｃに沿って撓ませ、円弧薄肉部３８及び３９を円弧部１７及び１８にスナップフィット式に嵌着して、羽根本体２に薄肉板７を嵌装してもよく、このようにすると、羽根本体２への薄肉板７の装着又は羽根本体２に対する薄肉板７の取り換えにおいて、ブラインド装置用羽根１の夫々の長手方向の一端部５８及び他端部５９を昇降、傾動機構に連結する連結機構からのブラインド装置用羽根１の取り外しを省略でき、当該連結機構にブラインド装置用羽根１を取付けたままで、羽根本体２への薄肉板７の装着又は羽根本体２に対する薄肉板７の取り換えを行うことができる。
【００２６】
以上のブラインド装置用羽根１によれば、長尺の羽根本体２の両長手縁部３及び４である円弧部１７及び１８の夫々に、弾性的可撓性の長尺の薄肉板７がその長手縁部５及び６で取り外し自在に嵌装されて、円弧凸表面１１を覆って円弧部１２に円弧薄肉部３５が重ね合わされているために、円弧薄肉部３５の円弧凸表面４４に絵画、広告等が表示された薄肉板７を用いることにより、室外から目視し得る絵画、広告等を部分的に又は全体に簡単に表示し得て、種々の要求に対して臨機応変に対処し得る上に、しかも、羽根本体２に対しての薄肉板７の脱着、嵌合による交換で、斯かる絵画、広告等を時期に合わせて適宜変更できる。
【００２７】
また、ブラインド装置用羽根１によれば、羽根本体２が空洞１９を形成する円弧部１２と円弧部２０とを具備する結果、言い換えると、羽根本体２が中空体である結果、軽量化を図り得る上に、羽根本体２の強度を増大でき、軽量化のために円弧部１２及び２０の夫々を薄肉にしても風等により撓むことなしにしっかりと羽根本体２の形状を保持でき、しかも、補強リブ２１を更に具備しているために、羽根本体２の強度を更に増大でき、風等により撓むことなしに更にしっかりと羽根本体２の形状を保持できる。
【００２８】
上記のブラインド装置用羽根１では、薄肉板７が羽根本体２の表面において当該羽根本体２に重ね合わされているが、これに代えて、図６から図８に示すように、薄肉板６５が羽根本体６６の裏面において当該羽根本体６６に重ね合わされていてもよい。
【００２９】
即ち、ブラインド装置５０に用いられる図６から図８に示すブラインド装置用羽根１は、アルミの押し出し成型品からなる長尺の羽根本体６６と、羽根本体６６の１．０ｍｍ程度の肉厚ｔよりも薄い０．２ｍｍから０．３ｍｍ程度の肉厚を有すると共に羽根本体６６の両長手縁部６７及び６８の夫々に長手縁部６９及び７０で取り外し自在に嵌装された弾性的可撓性の長尺の薄肉板６５とを具備しており、羽根本体６６は、円弧凸表面７５を有する長尺の外側の円弧部７６と、円弧部７６の円弧凸表面７５から連続して伸びる表面７７及び７８の夫々を有すると共にスリット７９及び８０の夫々を有して円弧部７６の両長手縁部８１及び８２の夫々に一体的に形成されて羽根本体６６の両長手縁部６７及び６８となる係止縁部８３及び８４と、円弧凹表面９０をもって、一端９１では一方の係止縁部８３に、他端９２では他方の係止縁部８４に夫々一体的に形成されていると共に外側の円弧部７６と協働して円弧状の空洞９３を形成するように外側の円弧部７６に対峙した内側の円弧部９４とを具備しており、薄肉板６５は、係止縁部８３及び８４の夫々のスリット７９及び８０に挿入されて嵌装された一対の長手縁部６９及び７０と、一対の長手縁部６９及び７０に一体的に形成されていると共に内側の円弧部９４の円弧凹表面９０に相似形であって当該円弧凹表面９０に接触する円弧凸裏面９５を有している円弧薄肉部９６とを具備している。
【００３０】
このように図６から図８に示すブラインド装置用羽根１では、薄肉板６５がその円弧凸裏面９５で羽根本体６６の裏面である円弧凹表面９０において当該羽根本体６６に重ね合わされており、斯かるブラインド装置用羽根１では、羽根本体６６のスリット７９及び８０に薄肉板６５の長手縁部６９及び７０を横から長手方向Ａに沿って差し込んで羽根本体６６に薄肉板６５を嵌装してもよいが、図８に示すように、薄肉板６５の弾性的可撓性を利用して、円弧薄肉部９６を方向Ｂで示すように羽根本体６６の円弧凹表面９０に向って押し付けると共に長手縁部６９及び７０の近傍を方向Ｃに沿って撓ませ、長手縁部６９及び７０をスリット７９及び８０に挿入して、羽根本体６６に薄肉板６５を嵌装してもよく、このようにすると、羽根本体６６への薄肉板６５の装着又は羽根本体６６に対する薄肉板６５の取り換えにおいて、ブラインド装置用羽根１の夫々の長手方向の一端部５８及び他端部５９を昇降、傾動機構に連結する連結機構からのブラインド装置用羽根１の取り外しを省略でき、当該連結機構にブラインド装置用羽根１を取付けたままで、羽根本体６６への薄肉板６５の装着又は羽根本体６６に対する薄肉板６５の取り換えを行うことができる。
【００３１】
図６から図８に示すブラインド装置用羽根１によれば、長尺の羽根本体６６の両長手縁部６７及び６８の夫々に、弾性的可撓性の長尺の薄肉板６５がその長手縁部６９及び７０でスリット７９及び８０を介して取り外し自在に嵌装されて、円弧凹表面９０を覆って円弧部９４に円弧薄肉部９６が重ね合わされているために、設置する室に羽根本体６６自体が意匠的に調和した色彩をもっていない場合でも、嵌装された薄肉板６５でもって設置する室に意匠的に調和した色彩にでき、また、円弧薄肉部９６の円弧凹表面９７に絵画等が表示された薄肉板６５を用いることにより、部分的に又は全体に絵画等を簡単に表示し得て、室内の種々の要求に対して臨機応変に対処し得、しかも、羽根本体６６に対しての薄肉板６５の脱着、嵌合による交換で、斯かる色彩、絵画等を時期に合わせて適宜変更できる。
【００３２】
また、図６から図８に示すブラインド装置用羽根１によれば、羽根本体６６が空洞９３を形成する円弧部７６と円弧部９４とを具備する結果、言い換えると、羽根本体６６が中空体である結果、軽量化を図り得る上に、羽根本体６６の強度を増大でき、軽量化のために円弧部７６及び９４の夫々を薄肉にしても風等により撓むことなしにしっかりと羽根本体６６の形状を保持できる。なお本例においても、補強リブ２１と同様の補強リブを設けて、羽根本体６６の強度を更に増大し、風等により撓むことなしに更にしっかりと羽根本体６６の形状を保持できるようにしてもよい。
【００３３】
上記のブラインド装置用羽根１では、羽根本体２及び６６夫々が中空体であるが、これに代えて、図９から図１１に示すように、中空体でない羽根本体１０１であってもよい。
【００３４】
即ち、ブラインド装置５０に用いられる図９から図１１に示すブラインド装置用羽根１は、アルミの押し出し成型品からなる長尺の羽根本体１０１と、羽根本体１０１の１．０ｍｍ程度の肉厚ｔよりも薄い０．２ｍｍから０．３ｍｍ程度の肉厚を有すると共に羽根本体１０１の両長手縁部１０２及び１０３の夫々に長手縁部１０４及び１０５で取り外し自在に嵌装された弾性的可撓性の長尺の薄肉板１０６とを具備しており、羽根本体１０１は、円弧凸表面１１０及び円弧凹裏面１１１を有する長尺の円弧部１１２と、円弧部１１２の両長手縁部１１３及び１１４の夫々に一体的に形成されて、羽根本体１０１の両長手縁部１０２及び１０３となる半円筒部１１５及び１１６とを具備しており、薄肉板１０６は、半円筒部１１５及び１１６の夫々の開口１１７及び１１８から当該半円筒部１１５及び１１６内に挿入された一対の長手縁部１０４及び１０５と、一対の長手縁部１０４及び１０５に一体的に形成されていると共に円弧部１１２の円弧凹裏面１１１に相似形であって当該円弧凹裏面１１１に接触する円弧凸裏面１１９を有している円弧薄肉部１２０とを具備している。
【００３５】
このように図９から図１１に示すブラインド装置用羽根１では、薄肉板１０６がその円弧凸裏面１１９で羽根本体１０１の裏面である円弧凹裏面１１１において当該羽根本体１０１に重ね合わされており、斯かるブラインド装置用羽根１は、羽根本体１０１の開口１１７及び１１８に薄肉板１０６の長手縁部１０４及び１０５を横から長手方向Ａに沿って差し込んで羽根本体１０１に薄肉板１０６を嵌装してもよいが、図１１に示すように、薄肉板１０６の弾性的可撓性を利用して、円弧薄肉部１２０を方向Ｂで示すように羽根本体１０１の円弧凹裏面１１１に向って押し付けると共に長手縁部１０４及び１０５の近傍を方向Ｃに沿って撓ませ、長手縁部１０４及び１０５を開口１１７及び１１８から半円筒部１１５及び１１６内に挿入して、羽根本体１０１に薄肉板１０６を嵌装してもよく、このようにすると、羽根本体１０１への薄肉板１０６の装着又は羽根本体１０１に対する薄肉板１０６の取り換えにおいて、ブラインド装置用羽根１の夫々の長手方向の一端部５８及び他端部５９を昇降、傾動機構に連結する連結機構からのブラインド装置用羽根１の取り外しを省略でき、当該連結機構にブラインド装置用羽根１を取付けたままで、羽根本体１０１への薄肉板１０６の装着又は羽根本体１０１に対する薄肉板１０６の取り換えを行うことができる。
【００３６】
図９から図１１に示すブラインド装置用羽根１によっても、長尺の羽根本体１０１の両長手縁部１０２及び１０３の夫々に、弾性的可撓性の長尺の薄肉板１０６がその長手縁部１０４及び１０５で開口１１７及び１１８を介して取り外し自在に嵌装されて、円弧凹裏面１１１を覆って円弧部１１２に円弧薄肉部１２０が重ね合わされているために、設置する室に羽根本体１０１自体が意匠的に調和した色彩をもっていない場合でも、嵌装された薄肉板１０６でもって設置する室に意匠的に調和した色彩にでき、また、円弧薄肉部１２０の円弧凹表面１２１に絵画等が表示された薄肉板１０６を用いることにより、部分的に又は全体に絵画等を簡単に表示し得て、室内の種々の要求に対して臨機応変に対処し得、しかも、羽根本体１０１に対しての薄肉板１０６の脱着、嵌合による交換で、斯かる色彩、絵画等を時期に合わせて適宜変更できる。
【００３７】
ところで、図１から図３に示すブラインド装置用羽根１の羽根本体２は、円弧部１２と円弧部１７及び１８とに加えて、円弧部２０及び補強リブ２１を具備しているが、これに代えて、図１２に示すように、図１から図３に示す円弧部１２と円弧部１７及び１８とでもって羽根本体２を構成してもよく、この場合も、斯かる羽根本体２に薄肉板７を前記と同様にして嵌装することによりブラインド装置用羽根を得ることができる。
【符号の説明】
【００３８】
１  ブラインド装置用羽根
２  羽根本体
３、４、５、６、１５、１６、２７、２９、３６、３７  長手縁部
７  薄肉板
１１、１３、１４  円弧凸表面
１２、１７、１８、２０  円弧部
１９  空洞
２１  補強リブ
２５、２６  一端
２８、３０  他端
３５、３８、３９  円弧薄肉部
４４  円弧凸表面
４５、４６、４７  円弧凹裏面
【図１】
2014237965.tif 000003
【図２】
2014237965.tif 000004
【図３】
2014237965.tif 000005
【図４】
2014237965.tif 000006
【図５】
2014237965.tif 000007
【図６】
2014237965.tif 000008
【図７】
2014237965.tif 000009
【図８】
2014237965.tif 000010
【図９】
2014237965.tif 000011
【図１０】
2014237965.tif 000012
【図１１】
2014237965.tif 000013
【図１２】
2014237965.tif 000014